(57)【要約】      （修正有） 【課題】フェンスの脚部が破損しても、コスト高になることを抑制しながらも、脚部の交換が可能となる合成樹脂製フェンスを提供する。【解決手段】ほぼ矩形状で合成樹脂でなるフェンス本体Ｆの少なくとも左右両端１の上下各部それぞれに、棒状体１８を上下方向で嵌合可能な嵌合用凹部２を備え、前記４つの角部に備えた嵌合用凹部２のうち外周方向で隣り合う嵌合用凹部２に位置させて前記フェンス本体Ｆの外周縁を連続形成するために該フェンス本体の上下端および左右端の４箇所に左右一対の縦リブ４A,４aおよび上下一対の横リブ４B,４bにて形成される閉ループ９を少なくとも外周縁に沿って多数備えさせる。【選択図】図１
2004211536.tif 000002
【特許請求の範囲】
【請求項１】
ほぼ矩形状で合成樹脂でなるフェンス本体の少なくとも左右両端の上下各部それぞれに、棒状体を上下方向で嵌合可能な嵌合用凹部を備え、前記４つの角部に備えた嵌合用凹部のうちの外周方向で隣り合う嵌合用凹部間に位置させて前記フェンス本体の外周縁を連続形成するために該フェンス本体の上下端及び左右端の４箇所に、左右一対の縦リブ及び上下一対の横リブにて形成される閉ループを少なくとも外周縁に沿って多数備えさせるとともに該閉ループ内に貫通孔を形成して外周補強部を備えさせ、前記フェンス本体の外周縁を除いた内側に、大きさの異なる複数種類の貫通孔を備えた網目部を備えさせた合成樹脂製フェンス。
【請求項２】
前記網目部を、左右一対の縦リブ及び上下一対の横リブにて形成される閉ループを該閉ループ内に貫通孔を形成した状態で上下方向及び左右方向に沿って多数配置することにより構成された十字形状の縦横補強部を挟んで上下方向及び左右方向のそれぞれに配置してなる請求項１記載の合成樹脂製フェンス。
【請求項３】
前記フェンス本体に、他のフェンス本体を厚み方向で重ね合わせたときに、該他のフェンス本体に形成の被係止部に入り込んで厚み方向と直交する方向への移動を阻止するための係止部を備えさせてなる請求項１記載の合成樹脂製フェンス。
【請求項４】
前記フェンス本体の嵌合用凹部に棒状体を内嵌した状態で該フェンス本体から該棒状体が抜けてしまうことを阻止する抜け止め手段を備えさせてなる請求項１記載の合成樹脂製フェンス。
【請求項５】
前記外周補強部の左右端の前記閉ループの複数を左右方向に併設させた一組の閉ループの左右方向の寸法と、前記上下端の１つの前記閉ループの上下方向の寸法とが、ほぼ同じ長さになるように構成してなる請求項１記載の合成樹脂製フェンス。
【請求項６】
前記外周補強部の上下端の各閉ループを構成する前記左右一対の縦リブ及び上下一対の横リブのうちの上下一対の横リブのそれぞれに、フェンス本体の厚み方向ほぼ中央に位置する状態でフェンス本体の厚みよりも小さい厚みを有する板状の補助用リブを左右の縦リブ間に渡って形成し、それら上下の補助用リブの遊端面と左右の縦リブの相対向する一対の面とで前記貫通孔を形成してなる請求項１記載の合成樹脂製フェンス。
【発明の詳細な説明】
【技術分野】
【０００１】
本発明は、例えば工事現場や家庭などで用いる合成樹脂製フェンスに関するものである。
【背景技術】
【０００２】
従来の合成樹脂製フェンスとしては、フェンス本体の左右両端の下部に脚部が形成され、該左右両端の上部には他のフェンス本体の前記脚部を嵌合可能な受け孔が形成されている。そして、コンクリートブロックなどで構成される土台に形成された嵌合孔に前記各脚部を上方から嵌合させることによりフェンス本体を立設させることができるようにしている（例えば、特許文献１参照）。
【特許文献１】特開平８−１５８７１１号公報
【発明の開示】
【発明が解決しようとする課題】
【０００３】
しかしながら、従来のフェンスでは、フェンス本体から脚部が突出しているため、脚部を土台に嵌合したり、土台から取り外したフェンス本体を運搬する等のフェンス本体の取り扱い時に、脚部を他物に接当させてしまい、脚部を変形させたり、破損させることがあった。また、前述のように脚部を土台の嵌合孔に嵌合させる際に乱暴に取り扱ったり、無理な荷重を加えたりして早期に脚部を変形させたり破損させることもあった。このように脚部を破損させてしまうと、土台に脚部を嵌合させることができないため、フェンス全体を取り替えることになり、コスト高になる不都合があった。
【０００４】
本発明は、かかる問題に鑑みてなされたものであり、例えば、フェンスの脚部が破損しても、コスト高になることを抑制しながらも、前記脚部の交換が可能となる合成樹脂製フェンスを提供することを目的とする。
【課題を解決するための手段】
【０００５】
前記目的を達成するために、本発明の合成樹脂製フェンスは、ほぼ矩形状で合成樹脂でなるフェンス本体の少なくとも左右両端の上下各部それぞれに、棒状体を上下方向で嵌合可能な嵌合用凹部を備え、前記４つの角部に備えた嵌合用凹部のうちの外周方向で隣り合う嵌合用凹部間に位置させて前記フェンス本体の外周縁を連続形成するために該フェンス本体の上下端及び左右端の４箇所に、左右一対の縦リブ及び上下一対の横リブにて形成される閉ループを少なくとも外周縁に沿って多数備えさせるとともに該閉ループ内に貫通孔を形成して外周補強部を備えさせ、前記フェンス本体の外周縁を除いた内側に、大きさの異なる複数種類の貫通孔を備えた網目部を備えさせたものである。
【０００６】
また、前記網目部を、左右一対の縦リブ及び上下一対の横リブにて形成される閉ループを該閉ループ内に貫通孔を形成した状態で上下方向及び左右方向に沿って多数配置することにより構成された十字形状の縦横補強部を挟んで上下方向及び左右方向のそれぞれに配置して、網目部の強度を高めるようにしてもよい。
【０００７】
また、前記フェンス本体に、他のフェンス本体を厚み方向で重ね合わせたときに、該他のフェンス本体に形成の被係止部に入り込んで厚み方向と直交する方向への移動を阻止するための係止部を備えさせてもよい。
【０００８】
前記フェンス本体の嵌合用凹部に棒状体を内嵌した状態で該フェンス本体から該棒状体が抜けてしまうことを阻止する抜け止め手段を備えさせてもよい。
【０００９】
前記外周補強部の左右端の前記閉ループの複数を左右方向に併設させた一組の閉ループの左右方向の寸法、前記上下端の１つの前記閉ループの上下方向の寸法とが、ほぼ同じ長さになるように構成してもよい。
【００１０】
前記外周補強部の上下端の各閉ループを構成する前記左右一対の縦リブ及び上下一対の横リブのうちの上下一対の横リブのそれぞれに、フェンス本体の厚み方向ほぼ中央に位置する状態でフェンス本体の厚みよりも小さい厚みを有する板状の補助用リブを左右の縦リブ間に渡って形成し、それら上下の補助用リブの遊端面と左右の縦リブの相対向する一対の面とで前記貫通孔を形成してもよい。
【発明の効果】
【００１１】
以上の如く、本発明の合成樹脂製フェンスは、合成樹脂製フェンスの脚部となる棒状体を取り替え可能であるので、棒状体が変形又は破損した場合でも代わりの棒状体を合成樹脂製フェンスの脚部として使用することができ、従来のようにフェンス全体を取り替えることがなく、コスト高になることを抑制することができる。
【００１２】
また、合成樹脂製フェンスの外周縁は、左右一対縦リブ及び上下一対の横リブにて形成される閉ループを連続して備えるので、強度が高く、軽量化された合成樹脂製フェンスを得ることができる。また、前記閉ループ内は貫通孔を備えているので、さらに軽量化された合成樹脂製フェンスを得ることができる。
【００１３】
また、左右一対縦リブ及び上下一対の横リブにて形成される閉ループを上下方向及び左右方向に沿って多数配置する十字形状の縦横補強部を挟んで、網目部を配置するので、網目部の強度を高くすることができる。さらに、この網目部が多数の貫通孔を備えているので、軽量化された合成樹脂製フェンスを得ることができる。しかも、異なる大きさの貫通孔を備えさせることによって、意匠感を高めた商品価値のある合成樹脂製フェンスを提供することができる。
【００１４】
また、縦横補強部をなす閉ループ内には、貫通孔を形成しているので、軽量化された合成樹脂製フェンスを得ることができる。
【００１５】
また、合成樹脂製フェンスの上端及び下端には、他の合成樹脂製フェンス本体に形成された被係止部に入り込んで、厚み方向と直交する方向への移動を阻止するための係止部を備えているので、移動時や保管時に複数のフェンスを厚み方向に重ね合わせて積載したときにも、その積載状態が崩れることがなく、取扱性において有利になる。
【００１６】
また、合成樹脂製フェンス本体の嵌合用凹部に棒状体を内嵌した状態で、合成樹脂製フェンスから棒状体が抜けることを阻止する抜け止め手段を備えているので、例えば棒状体を嵌合用凹部に多数回の嵌合により嵌合用凹部が棒状体よりも大きくなってしまった場合などにおいて、合成樹脂製フェンス本体から棒状体が不測に抜けてしまうといったことがなく、取扱性において有利になる。
【００１７】
前記外周補強部のうちの左右端に位置する閉ループを上下方向及び左右方向に多数設けることによって、持ち運ぶときや立設時に他物との接当やフェンス自体の重量による荷重の加わり易い左右端の保形強度を高めることができ、変形や破損の少ない合成樹脂製フェンスに構成することができる。
【００１８】
前記外周補強部のうちの上下端に位置する各閉ループ内に補助用リブを形成するので、持ち運ぶときや立設時に他物との接当やフェンス自体の重量による荷重の加わり易い上下端の保形強度を高めることができ、変形や破損の少ない合成樹脂製フェンスに構成することができる。また、補助用リブの遊端面と左右の縦リブの相対向する一対の面とで貫通孔を形成するので、軽量化も同時に行っている。
【発明を実施するための最良の形態】
【００１９】
以下に、本発明に係る合成樹脂製フェンスの実施形態を図面を参照しながら説明する。図１は本発明に係る合成樹脂製のフェンス本体Ｆ（以下、フェンスＦと称す。）の正面図である。
【００２０】
フェンスＦは、ほぼ矩形状（図では左右方向に長い横長の長方形であるが、図１０に示すように上下方向に長い縦長の長方形の他、正方形であってもよい）で合成樹脂からなっており、左端１Ａ及び右端１Ｂの上下各部のそれぞれ４箇所及び左右方向ほぼ中央部の上下端の２箇所の合計６箇所に、合成樹脂製で断面形状がほぼ円形の棒状体１８（図５参照）を上下方向で嵌合可能な断面形状がほぼ円形の嵌合用凹部２，２Ａを備えさせて、図６及び図７に示すように、フェンスＦの嵌合用凹部２に嵌合保持させた棒状体１８の下端突出部を支持台２１の支持孔２２に嵌合させることにより、フェンスＦを立設させることができるようにしている。尚、前記支持台２１は、図６に示すように、左右一対の支持孔２２，２２を備えさせたものと、図７に示すように、フェンスＦの左右方向中央にのみ支持孔（図示せず）を備えさせたものの２種類があるが、１種類又は３種類のものから構成してもよい。
【００２１】
また、前記嵌合用凹部２のうちの外周方向で隣り合う嵌合用凹部２間に位置させて、該フェンスＦの外周縁を連続形成するために上下端３及び左右端１の４箇所に、左右一対の縦リブ４ａ，４ａ、４Ａ，４Ａ及び上下一対の横リブ４ｂ，４ｂ、４Ｂ，４Ｂにて形成される閉ループ４を、外周縁（左右両端１及び上下両端３）に沿って多数備えさせるとともに該閉ループ４内に貫通孔５ａ，５Ｂを形成して外周補強部６を備えさせている。さらに、フェンスＦの外周縁を除いた内側に、大きさの異なる複数種類の貫通孔７を備えた網目部８を備えている。
【００２２】
前記貫通孔７は、中心に菱形の第１貫通孔７Ａと、その第１貫通孔７Ａを取り囲むように配置されると共に第１貫通孔７Ａよりも大きな寸法を有する六角形の第２貫通孔７Ｂの４個とからなり、後述の縦横補強部１１及び外周補強部６に近接する部分は、それら貫通孔７Ａ，７Ｂが途中で切断された形状になっていると共に、それら上下方向で隣接する網目部８，８が上下対称の形状になっている。ここでは、２種類の貫通孔７Ａ，７Ｂを備えさせているが、３種類以上の貫通孔を備えさせて実施することもできる。又、左右の外周補強部６は、縦リブ４Ａを左右方向に３列備えると共に、上下一対の横リブ４Ｂ，４Ｂに連続する横リブ４Ｂ，４Ｂを備えさせて、左右に２列の閉ループ４，４を形成することによって、特にフェンスの荷重の多くが作用する左右端１の保形強度を高めるようにしている。前記左右端１の閉ループ４，４に形成の貫通孔５Ｂは、閉ループ４，４の上下方向中央部にのみ形成しており、フェンスの軽量化を図りながらも、貫通孔５Ｂの形成による強度低下を抑制することができるようにしている。
【００２３】
前記外周補強部６の左右端１（１Ａ、１Ｂ）に位置する閉ループ４の２つ又はそれ以上を左右方向に併設させ一組の閉ループ４，４とし（図では２つの閉ループを一組の閉ループとしているが、３つ以上の閉ループを一組の閉ループとしてもよい。）、この一組の閉ループ４，４の左右方向の寸法（長さ）と、前記外周補強部６の上下端３（３Ａ、３Ｂ）に位置する１つの閉ループ４の上下方向の寸法（長さ）とが、ほぼ同じ寸法（長さ）となるように、左右端１に位置する閉ループ４は構成されている。このように、複数の閉ループ４，４を上下方向に沿って多数備えさせると共に、左右方向にも複数の閉ループ４，４を複数備えさせて、フェンスＦの左右端１Ａ，１Ｂの保形強度を高めることができるようにしている。
【００２４】
また、前記網目部８を、十字形状の縦横補強部１１を挟んで上下方向及び左右方向のそれぞれに配置して、横長のフェンスの左右方向は勿論のこと、上下方向のフェンスの保形強度を確保することができるようにしている。
【００２５】
前記縦横補強部１１は、左右一対の縦リブ９ａ及び上下一対の横リブ９ｂにて形成される閉ループ９を該閉ループ９内に貫通孔１０を形成した状態で上下方向及び左右方向に沿って多数配置して構成されている。さらに、前記縦横補強部１１を構成するために左右方向に等間隔に配置された３つの縦補強部のうち、左右方向中央に位置する縦補強部の上部及び下部のそれぞれに、前記棒状体１８（図５参照）が上下方向で嵌合可能な嵌合用凹部２Ａ（２）を備えており、この下部の嵌合用凹部２Ａに嵌合させた棒状体１８の下端を、図７で示す支持台２１に嵌合させることにより、横長状のフェンスＦを左右方向３箇所で安定良く立設支持させることができるようにしている。前記上部の嵌合用凹部２Ａは、上下方向にフェンスＦ，Ｆを連結する場合に、上方に位置させるフェンスＦの左右中央の下部の嵌合用凹部２に嵌合させた棒状体１８の下端を嵌合させるために設けたものである。
【００２６】
そして、複数のフェンスＦを左右方向で連結して使用する場合には、図２に示すように、フェンスＦの左端１Ａの上部に備えられている嵌合用凹部２と、他のフェンスＦの右端１の上部に備えられている嵌合用凹部２に、合成樹脂製の連結部材１２を嵌合して連結し、複数のフェンスＦを左右方向で連結するのである。この連結部材１２は、フェンスＦの嵌合用凹部２、２に嵌合する断面形状が円形状の左右一対の連結杆１３，１３を基盤１４下面から下方に垂設し、該連結杆１３の高さ方向に沿って延びる補強リブ１３ａを周方向に適当間隔を置いて多数設け、連結杆１３の先端部１３ｂを嵌合用凹部２に挿入し易いように先端部ほど少し先細りとなるテーパ状に形成した（図２では一直線に見えるが）ものであり、連結部材１２の連結杆１３、１３を隣接して立設させたフェンスＦの嵌合用凹部２、２に嵌合することにより、左右方向で隣接して立設されたフェンスＦ，Ｆ同士を強固に連結することができるものである。連結部材１２によってフェンスＦ同士を連結する方向としては、フェンスＦが一直線状に並ぶ左右方向に限定されるものではなく、例えば図９に示すようにフェンスＦの中央部分に備えられている嵌合用凹部２Ａと、他のフェンスの左右端１に備えられている嵌合用凹部２に、前記連結部材１２の連結杆１３，１３のそれぞれを嵌合して連結し、２枚のフェンスＦをＴ字の形状に連結してもよい。なお、図２にも示すように、上端３Ａの嵌合用凹部２付近は、前記連結部材１２の基盤１４の上下方向の厚み分だけ低くした段部１５を設け、連結部材１２を嵌合用凹部２に嵌合した際に、上端３Ａの高さと連結部材１２の高さをほぼ同じ高さにするのが望ましいが、段部１５を設けることなく上端３の高さと連結部材１２の高さが異なっていてもよい。前記左右一対の段部１５，１５は、２つのフェンスＦ，Ｆを上下方向で連結する場合に、上側のフェンスＦの左右両端の下端から下方へ突出形成された突出部１５Ｔ，１５Ｔが入り込むことができるように、突出部１５Ｔ，１５Ｔの突出した分だけ低くした段部を構成している。前記連結杆１３は、中空構造として軽量化すると共に、前記多数の補強リブ１３ａによって強度を高め、さらに連結杆先端部１３ｂをテーパ状に形成することで、連結部材１２を嵌合用凹部２に嵌合しやすくしているが、他の構成であってもよい。
【００２７】
また、図３及び図４（ａ），（ｂ）に示すように、前記上端３Ａの嵌合用凹部２の近くに係止部１６と、前記係止部１６の裏面側に被係止部１７としての凹部が備えられており、フェンスＦと他のフェンスＦの厚み方向に重ね合わせると、前記係止部１６が被係止部１７内に入り込み、厚み方向と直交する方向へのフェンスＦの移動を阻止することができるようにしている。前記係止部１６は、左右端に位置する縦リブ４ＡからフェンスＦの厚み方向外方向側へ突出する縦突出部１６Ｂと、この縦突出部１６Ｂの縦方向ほぼ中央から横方向に延びると共にフェンスＦの厚み方向外方向側へ突出する横突出部１６ＡとからなるＴ字形状に突出した凸部であり、他のフェンスＦの被係止部１７をなす閉ループ４内に入り込んで、上方に積み重ねられたフェンスＦが下方に位置するフェンスＦに対して、厚み方向と直交する方向、つまり前記左右方向や上下方向のどの方向へも移動することを阻止することができるようにしている。前記係止部１６及び被係止部１７をフェンスＦの角部付近（フェンスＦの外周縁）に形成することによって、フェンスＦを持って一方の係止部１６に他方の被係止部１７に係止させるときに容易に目視できることから、係止作業を迅速に行うことができる利点があるが、フェンスＦの外周縁以外の箇所に係止部１６及び被係止部１７を形成してもよい。又、係止部１６及び被係止部１７の形状は、図に示す形状以外のものであってもよい。又、図では、被係止部１７に対して係止部１６を小さく形成することによって、両者の係止を容易に行えるようにしているが、被係止部１７の大きさに対して同一又はほぼ同一の大きさの係止部１６を形成してもよい。
【００２８】
これら係止部１６と被係止部１７は、図１に示すように（被係止部１７は係止部１６の反対側（図の裏面側）に形成されている）フェンスＦの上端３Ａの左右両端と、下端３Ｂの左右両端の合計４箇所にそれぞれ備えて、重ね合わせたときにフェンスＦそれぞれを安定させ、多数のフェンスＦを重ね合わせて搬送する際に、フェンス同士が係止して崩れにくくする。
【００２９】
なお、図５及び図８に示すように、フェンスＦを高さ方向（上下方向）に連結する場合には、周方向に適当間隔を置いて高さ方向に沿う補強リブ１８ａの４つを備える前記棒状体１８を、上方に位置するフェンスＦの右端１Ｂの下部の嵌合用凹部２と、下方に位置するフェンスＦの右端１Ｂの上部の嵌合用凹部２に嵌合させる。実際には、上方に位置させるフェンスＦの嵌合用凹部２に棒状体１８を嵌合して備えさせておき、下方に位置するフェンスＦの嵌合用凹部２に前記棒状体１８の下端を嵌合させることになる。なお、下部に設けられた嵌合用凹部２を構成するフェンスＦ厚み方向の前後壁それぞれには、基端部に円板状の頭部１９ａを備えた抜け止め用ピン（抜け止め手段）１９が挿入可能な大きさの異なる大小のフェンス用挿入孔２０Ａ，２０Ｂ（同一の大きさであってもよい）が形成され、さらに前記棒状体１８の一端側には前記抜け止め用ピン１９が挿入可能な一対の棒状体用挿入孔１８ｂ，１８ｂを備えさせて、嵌合用凹部２に棒状体１８を嵌合した後に、抜け止め用ピン１９を一方の壁に形成のフェンス用挿入孔２０Ｂ、棒状体用挿入孔１８ｂ、他方の壁に形成のフェンス用挿入孔２０Ａの順に挿入してから、抜け止め用ピン１９の先端側に形成された環状の溝部１９ＭにＣ字形状の抜け止め部材２４を係止させることにより、抜け止め用ピン１９の抜け止め処理を行って、棒状体１８をフェンスＦに抜けることがないように固定させることができるようにしている。前記棒状体１８の長手方向両端の先端部１８ｃ，１８ｃを、先端部側ほど先細りとなるテーパ状に形成して（図では直線状になっている）、嵌合用凹部２に容易に嵌合できるようにすることが望ましい。図５及び図８に示す２５，２６は、前記抜け止め用ピン１９の頭部１９ａ及び抜け止め部材２４がこれよりも大きな寸法に形成された前記フェンス用挿入孔２０Ａ，２０Ｂへ入り込むことを阻止するためのワッシャーである。
【００３０】
なお、前記嵌合用凹部２の形状を図３に示しているような円形状以外に、前記補強リブ１８ａを備えた棒状体１８の外形に合わせた形状にしてもよい。この場合、棒状体１８は、嵌合用凹部２への挿入時において挿入方向（上下方向）のみ移動が可能になる、つまり嵌合用凹部２内では回転不能にすることができるから、嵌合用凹部２に棒状体１８を挿入するだけで前記フェンス用挿入孔２０Ａ，２０Ｂと棒状体用挿入孔１８ｂ，１８ｂの孔の位置を一致させることができる利点がある。
【００３１】
また、図６に示すように、フェンスＦを支持する支持台２１に備えられている支持孔２２に前記棒状体１８を挿入すると共に、前記フェンスＦの左右端１の下部に備えられている嵌合用凹部２に該棒状体１８を挿入し、棒状体１８をフェンスＦの脚部として該フェンスＦを立設することになる。このときも、抜け止め用ピン１９をフェンス用挿入孔２０Ａ，２０Ｂ及び棒状体用挿入孔１８ｂ，１８ｂに挿入して、棒状体１８をフェンスＦに固定するのである。
【００３２】
そして、前記棒状体１８が破損した場合には、破損した棒状体１８を取り外して新たな他の棒状体１８を嵌合用凹部２に挿入することにより、フェンスＦを繰り返し使用することができる。また、フェンスＦを移動又は保管する場合には、前記棒状体１８をフェンスＦから取り外しておき、フェンスＦを立設させる場合に前述のように棒状体１８をフェンスＦに嵌合させることになる。
【００３３】
また、図１０に示すように、前記フェンスＦに備えられている網目部８の一部（図では下部の２箇所であるが、どの位置であってもよい）を板状のパネル板部２３としてもよい。なお、このパネル板部２３には、広告がデザインされたパネルを用いてもよいし、工事現場などでは通行人に対しての報知事項などが記載されたパネルを用いてもよいし、あるいはパネル板部２３に報知事項などが記載された紙をテープなどにより直接貼り付けるようにしてもよい。また、パネル板部２３には、水抜き用穴２８が設けられており、複数のフェンスＦを厚み方向を上下方向として屋外に積み重ねたときにパネル板部２３の表面に雨水などが貯まらないようにしている。尚、図１０に示す２７は、前記２枚のパネル板部２３，２３を左右方向で仕切ると共に軽量化を図りながらも保形強度を高めるための縦補強部であり、上下一対の横リブ２７ａ，２７ａと左右一対の縦リブ２７ｂ，２７ｂとから上下方向に多数の閉ループ４が形成されるようになっている。図１０の２７Ｋは開口である。図１０で示している網目部８の模様は、図１で示している網目部８の模様とは異なっているが、図１と同じ網目の模様であってもよい。図１０のフェンスＦは、図１のものに比べて左右幅の小さな縦長状のものでなっており、フェンスＦの寸法は自由に変更できる。また、他の構成は、図１のものと同一であるため、同一の符号を付すと共に、説明を省略する。
【００３４】
同様に、図１１に示すように左右方向に長いフェンスＦの網目部８の一部を板状のパネル板部２３としてもよい。図１１では、網目部８がフェンスＦの上部及び下部のそれぞれ４箇所に備えられ、パネル板部２３がフェンスＦの上下中央部の４箇所に備えられている。このパネル板部２３は、前述のように広告がデザインされたパネルを用いてもよいし、工事現場などでは通行人に対しての報知事項などが記載されたパネルを用いてもよいし、あるいはパネル板部２３に報知事項などが記載された紙をテープなどにより直接貼り付けるようにしてもよい。また、パネル板部２３には、水抜き用穴２８が設けられており、複数のフェンスＦを厚み方向を上下方向として屋外に積み重ねたときにパネル板部２３の表面に雨水などが貯まらないようにしている。尚、パネル２３，２３を左右方向で仕切る縦補強部２７が備えられている。図１１の２７Ｋは開口である。図１１で示している網目部８の模様は、図１及び図１０で示している網目部８の模様とは異なっているが、図１や図１０と同じ網目の模様であってもよい。前記縦横補強部２７の構成や、他の構成は、図１及び図１０のものと同一であるため、同一の符号を付すと共に、説明を省略する。
【００３５】
また、図１２に示すように、前記フェンスＦの外周補強部６の上端３Ａ及び下端３Ｂの各閉ループ４に上下一対の補助用リブ２９をさらに備えさせてもよい。この補助用リブ２９は、図１２〜１４に示すように、前記閉ループ４を構成する左右一対の縦リブ４ａ，４ａ及び上下一対の横リブ４ｂ，４ｂのうちの一対の横リブ４ｂ，４ｂのそれぞれに、フェンスＦの厚み方向ほぼ中央に位置する状態で一体形成した板状リブである。また、この補助用リブ２９はフェンスＦの厚みよりも非常に小さい厚みを有した板状のリブであり、左右一対の縦リブ４ａ，４ａ間に渡って形成され、且つ一対の補助用リブ２９の遊端面２９ａ，２９ａと前記縦リブ４ａ，４ａの相対向する一対の面３１，３１とで形成される貫通孔５ｃを備えている。このように、前記外周補強部６のうちの上下端３に位置する各閉ループ４内に補助用リブ２９を形成するので、持ち運ぶときや立設時や図５のように高さ方向（上下方向）に連結する場合などに他物との接当やフェンス自体の重量による荷重が加わる上下端の保形強度を高めることができ、変形や破損の少ないフェンスに構成することができる。また、補助用リブ２９をフェンスＦの厚みよりも薄い板状のリブから形成するだけでなく、補助用リブ２９の遊端面と縦リブ４ａ，４ａ間に貫通孔５ｃを形成することで、フェンスＦ自体の軽量化も同時に行っている。
【００３６】
さらに、図１２に示すように、前記縦横補強部１１をなす各閉ループ９を構成する前記左右一対の縦リブ９ａ，９ａのそれぞれに、フェンスＦの厚み方向ほぼ中央に位置する状態でフェンスＦの厚みよりも非常に小さい厚みを有する板状の補助用リブ３０を左右の縦リブ９ａ，９ａ間に渡って形成し、それら補助用リブ３０の遊端面と左右の縦リブ９ａ，９ａの相対向する一対の面３２ａ，３２ａとで前記貫通孔１０ａを形成してもよい。
同様に、図１２に示すように、前記縦横補強部１１をなす各閉ループ９を構成する前記上下一対の横リブ９ｂ，９ｂのそれぞれに、フェンスＦの厚み方向ほぼ中央に位置する状態でフェンスＦの厚みよりも非常に小さい厚みを有する板状の補助用リブ３０を上下の横リブ９ｂ，９ｂ間に渡って形成し、それら補助用リブ３０の遊端面と上下の横リブの相対向する一対の面３２ｂ，３２ｂとで前記貫通孔１０ａを形成してもよい。
このように、縦横補強部１１を構成する閉ループに補助用リブ３０を備えさせ、該縦横補強部１１の保形強度を高めるようにしてもよい。この補助用リブ３０は、フェンスＦの厚みより薄い板状のリブで構成され、且つ該リブ３０の遊端面と縦リブ９ａ，９ａ若しくは横リブ９ｂ，９ｂによって貫通孔１０ａを形成して軽量化も同時に行ってもよい。
【００３７】
また、図１４に示すように、網目部８を断面形状丸型で棒状の第１網部材８ＡとフェンスＦの厚み方向に幅を有する平面視において板状の第２網部材８Ｂから構成してもよい。このとき第２網部材８Ｂの幅（フェンスＦの厚み方向の長さ）は、フェンスＦの外枠の厚みよりも僅かに短く（例えば、２ｍｍ短く）、第１網部材８Ａよりも長く形成されている。また、第１網部材８Ａは菱形の貫通孔７Ａを形成する菱形の環状部と、この菱形の環状部の４つの角から上下方向及び左右方向に直線的に延びるとともに前記第２網部材８Ｂに先端が連結された４つの直線部とからなっている。同様に、第２網部材８Ｂは、肘型の貫通孔７ａを形成する菱形の環状部と、この菱形の環状部の４つの角から上下方向及び左右方向に直線的に延びるとともに前記第１網部材８Ａに先端が連結された４つの直線部とからなっている。
【図面の簡単な説明】
【００３８】
【図１】合成樹脂製フェンスの正面図である。
【図２】左右方向で隣り合う２つの合成樹脂製フェンスの端部同士を連結部材にて連結する直前の状態を示す一部を断面にした要部の正面図である。
【図３】係止部及び被係止部の形状を示す２つの合成樹脂製フェンスの斜視図である。
【図４】（ａ）は図３のＡ−Ａ線で断面にした合成樹脂製フェンスを上下方向で重ねた状態を示す要部の断面図、（ｂ）は図３のＢ−Ｂ線で断面にした合成樹脂製フェンスを上下方向で重ねた状態を示す要部の断面図である。
【図５】２つの合成樹脂製フェンスを高さ方向に連結する直前の状態を示す分解断面図である。
【図６】合成樹脂製フェンスを支持台に立設した状態の部分断面図である。
【図７】３つの合成樹脂製フェンスを左右方向で連結した状態を示す正面図である。
【図８】棒状体や抜け止め用ピンなどを示す分解斜視図である。
【図９】２つの合成樹脂製フェンスをＴ字状態に連結する直前の状態の斜視図である。
【図１０】別の合成樹脂製フェンスを示す正面図である。
【図１１】別の合成樹脂製フェンスを示す正面図である。
【図１２】補助用リブを備えた合成樹脂製フェンスの正面図である。
【図１３】図１２のＣ−Ｃ線で断面にした合成樹脂製フェンスの断面図である。
【図１４】補助用リブを備えた合成樹脂製フェンスの斜視図である。
【符号の説明】
【００３９】
１    左端、右端          ２    嵌合用凹部
３    上端、下端          ４    閉ループ
４Ａ，４ａ  縦リブ        ４Ｂ，４ｂ  横リブ
５ａ，５Ｂ，５ｃ    貫通孔
６    外周補強部
７，７Ａ，７ａ，７Ｂ  貫通孔
８    網目部
８Ａ，８Ｂ  網部材        ９    閉ループ
９ａ  縦リブ              ９ｂ  横リブ
１０，１０ａ    貫通孔    １１    縦横補強部
１２    連結部材          １３    連結杆
１３ａ  補強リブ          １３ｂ  連結杆先端部
１４    基盤              １５    段部
１６    係止部            １７    被係止部
１８    棒状体            １８ａ  補強リブ
１８ｂ  棒状体用挿入孔    １８ｃ  棒状体先端部
１９    抜け止め用ピン（抜け止め手段）
１９ａ  頭部              １９Ｍ  溝部
２０Ａ，２０Ｂ    フェンス用挿入孔
２１    支持台            ２２    支持孔
２３    パネル板部        ２４    抜け止め部材
２５，２６    ワッシャー  ２７    縦補強部
２７ａ  横リブ            ２７ｂ  縦リブ
２７Ｋ  開口              ２８    水抜き用穴
２９    補助用リブ        ２９ａ  遊端面
３０    補助用リブ          Ｆ    フェンス
【図１】
2004211536.tif 000003
【図２】
2004211536.tif 000004
【図３】
2004211536.tif 000005
【図４】
2004211536.tif 000006
【図５】
2004211536.tif 000007
【図６】
2004211536.tif 000008
【図７】
2004211536.tif 000009
【図８】
2004211536.tif 000010
【図９】
2004211536.tif 000011
【図１０】
2004211536.tif 000012
【図１１】
2004211536.tif 000013
【図１２】
2004211536.tif 000014
【図１３】
2004211536.tif 000015
【図１４】
2004211536.tif 000016